(57)【要約】【課題】  転写紙を載置したまま閉じることが可能な給紙トレイを有する画像形成装置の提供を目的とする。【解決手段】  転写紙Ｓを載置する給紙トレイ５と、該給紙トレイ５から給紙された前記転写紙Ｓに画像を形成する画像形成部３と、を有する画像形成装置１において、該画像形成装置１は、転写紙Ｓを載置した前記給紙トレイ５を収納する収納部１６を有し、前記給紙トレイ５は支持部材１５を有することを特徴としている。【選択図】図１
2005280913.tif 000002
【特許請求の範囲】
【請求項１】
給紙位置と収納位置との間を回動可能であり転写紙を載置する手差し給紙トレイと、
該手差し給紙トレイから給紙された前記転写紙に画像を形成する画像形成部と、を有する画像形成装置において、
該画像形成装置は、前記手差し給紙トレイおよび、前記手差し給紙トレイに載置されている転写紙を収納する収納部を有し、
前記手差し給紙トレイが前記収納部に収納される際に前記手差し給紙トレイの回動に伴って回動し、載置されている転写紙を支持する、支持部材とを有することを特徴とする画像形成装置。
【請求項２】
前記手差し給紙トレイは、前記収納部へ収納する際に転写紙を押える紙押え部材を有することを特徴とする請求項１に記載の画像形成装置。
【請求項３】
前記紙押え部材の長さは、前記手差し給紙トレイから通紙可能な転写紙の給紙方向の最大長さの２分の１以上であることを特徴とする請求項２に記載の画像形成装置。
【請求項４】
前記支持部材は、前記手差し給紙トレイに設けられたことを特徴とする請求項１から３のいずれかに記載の画像形成装置。
【請求項５】
前記画像形成装置は、開閉可能な開閉扉を有し、前記手差し給紙トレイおよび前記収納部が前記開閉扉に設けられたことを特徴とする請求項１から４のいずれかに記載の画像形成装置。
【請求項６】
前記開閉扉が前記画像形成装置の正面に向かって奥側に開閉支点を有することを特徴とする請求項５に記載の画像形成装置。
【発明の詳細な説明】
【技術分野】
【０００１】
本発明は転写紙を載置したまま閉じることが可能な手差し給紙トレイを有した画像形成装置に関する。
【背景技術】
【０００２】
画像形成装置は、転写紙を給紙する手段として給紙カセットと手差し給紙トレイを有している。給紙カセットは画像形成装置から引き出し可能に構成されており、引き出した状態で転写紙を載置し、画像形成装置本体に押し込んで収納することで給紙可能な状態になる。画像形成装置は一般的に、複数の給紙カセットを有しており、それぞれの給紙カセットには異なるサイズの転写紙を格納可能である。
【０００３】
手差し給紙トレイは、画像形成装置の側面にヒンジ等によって開閉可能な状態で取り付けられている。使用するときは手差し給紙トレイを開いて転写紙を載置し、使用しないときは折り畳み可能に構成されている。手差し給紙トレイに載置された転写紙は、転写紙持上げ板によって転写紙の先端部分がピックアップローラに当接されることで、画像形成装置内に給紙される。転写紙持上げ板には、手差し給紙トレイの収納時に手差し給紙トレイとともに回転して収納されるもの（例えば特許文献１参照）と、画像形成装置側に取り付けられていて手差し給紙トレイの開閉に連動しないものとがある。
画像形成の際には、原稿のサイズ・倍率又は操作部から指定された転写紙のサイズ等によって、適切な転写紙が載置された給紙カセット又は手差し給紙トレイが選択される。
【特許文献１】特開２００１−１４６３４３号公報（図３、図４）
【発明の開示】
【発明が解決しようとする課題】
【０００４】
一方、画像形成装置の機種によっては、紙詰まりの処理やメンテナンス用の扉が側面にあり、その扉に手差し給紙トレイが取り付けられているものが存在する。
【０００５】
側面の扉に手差し給紙トレイが設けられている画像形成装置は、紙詰まり処理やメンテナンスのために扉を開ける際に手差し給紙トレイを閉じる必要がある。手差し給紙トレイを開けた状態のまま扉を開けようとすると、手差し給紙トレイが壁等に当たり、扉を完全に開けることができないからである。そのように、手差し給紙トレイが邪魔になり扉を完全に開くことができない状態では、紙詰まり処理やメンテナンスがやりにくいという問題がある。また、完全に扉を開放可能とするには、開放時に必要なスペースを考慮して画像形成装置を設置する必要がある。
【０００６】
しかし、特許文献１のような画像形成装置では、手差し給紙トレイの収納部に、転写紙を収納するスペースが無いため、転写紙を手差し給紙トレイに載置したままでは手差し給紙トレイを適正に閉じることができない。仮に閉じることができたとしても、転写紙に傷がついてしまう。また、画像形成装置側に転写紙持上げ板が取り付けられている機種では、手差し給紙トレイを閉じた時に、転写紙持上げ板のところで転写紙が折れ曲がってしまい、癖がついてしまう。そのため、紙詰まり処理やメンテナンスの作業時には、手差し給紙トレイに載置された転写紙を取り除いて手差し給紙トレイを閉じる作業と、手差し給紙トレイを開けて転写紙を載置する作業が必要となり、紙詰まり処理・メンテナンス以外の作業に、手間と時間がかかるという問題がある。
【０００７】
そこで、本発明は転写紙を載置したまま閉じることが可能な手差し給紙トレイを有する画像形成装置の提供を目的としている。
【課題を解決するための手段】
【０００８】
上記目的を達成するために請求項１記載の画像形成装置は、給紙位置と収納位置との間を回動可能であり、転写紙を載置する手差し給紙トレイと、該手差し給紙トレイから給紙された前記転写紙に画像を形成する画像形成部と、を有する画像形成装置において、該画像形成装置は、前記手差し給紙トレイおよび、前記手差し給紙トレイに載置されている転写紙を収納する収納部を有し、前記手差し給紙トレイが前記収納部に収納される際に、前記手差し給紙トレイの回動に伴って回動し、載置されている転写紙を支持する支持部材とを有することを特徴としている。
【０００９】
請求項２記載の画像形成装置は、前記手差し給紙トレイは、前記収納部へ収納する際に転写紙を押える紙押え部材を有することを特徴としている。
【００１０】
請求項３記載の画像形成装置は、前記紙押え部材の長さは、前記手差し給紙トレイから通紙可能な転写紙の給紙方向の最大長さの２分の１以上であることを特徴としている。
【００１１】
請求項４記載の画像形成装置は、前記支持部材は、前記手差し給紙トレイに設けられたことを特徴としている。
【００１２】
請求項５記載の画像形成装置は、前記画像形成装置は、開閉可能な開閉扉を有し、前記手差し給紙トレイおよび前記収納部が前記開閉扉に設けられたことを特徴としている。
【００１３】
請求項６記載の画像形成装置は、前記開閉扉が前記画像形成装置の正面に向かって奥側に開閉支点を有することを特徴としている。
【発明の効果】
【００１４】
請求項１記載の画像形成装置は、手差し給紙トレイと画像形成部を有している。手差し給紙トレイは画像形成装置に設けられた収納部に転写紙をセットしたまま収納可能となっており、その時に転写紙の落下を防ぐ支持部材が設けられている。このような構成とすることで、転写紙をセットしたまま手差し給紙トレイの開閉が可能となる。
【００１５】
請求項２記載の画像形成装置は、手差し給紙トレイに紙押え部材が設けられている。転写紙を載置したまま手差し給紙トレイを閉じた時に、紙押え部材が転写紙をまっすぐに保つため、転写紙にたるみ等の癖がつかない。また転写紙の上端部分が垂れ下がることによってつく癖も防止できる。
【００１６】
請求項３記載の画像形成装置は、紙押え部材の長さは、前記手差し給紙トレイが通紙可能な最大の転写紙の長さの２分の１以上であるとすることで、転写紙につく癖を防止できる。
【００１７】
請求項４記載の画像形成装置は、支持部材が手差し給紙トレイに設けられているため、支持部材を回動可能とする構造を手差し給紙トレイと別に設ける必然性がなく、構造が簡易になる。
【００１８】
請求項５記載の画像形成装置は、開閉扉に手差し給紙トレイと収納部が設けられているため、開閉扉を開いて紙詰まり処理やメンテナンスをする際の操作性の向上、または操作性を考慮にしたうえでの設置スペースの省スペース化が可能である。
【００１９】
請求項６記載の画像形成装置は、開閉扉の開閉支点が装置の正面に向かって奥側に設けられているため、その様な構成の装置においても、特に開閉扉を開いて行う紙詰まり処理やメンテナンス時の操作性の向上または、操作性を考慮にしたうえでの設置スペースの省スペース化に寄与する。
【発明を実施するための最良の形態】
【００２０】
次に本発明の画像形成装置を、図面を基に説明する。図１は、本発明の画像形成装置の構成図である。画像形成装置１は、画像書込み部２・画像形成部３・給紙カセット４・手差し給紙トレイ５・定着装置６・排紙ローラ７及び、両面コピーのための再搬送手段８を有している。また、画像形成装置１の上部には原稿読取装置９と原稿搬送装置１０が搭載されている。
【００２１】
原稿ｄは、原稿搬送装置１０によって原稿読取装置９の上部に設けられたプラテンガラス等へ搬送され、原稿読取装置９の光学系により原稿ｄの片面又は両面の画像がアナログ信号として読み取られる。読み取られたアナログ信号は、図示しない画像処理部において、アナログ処理、Ａ／Ｄ変換、シェーディング補正及び画像圧縮処理等を行われ、画像書込み部２に送られる。
【００２２】
画像書込み部２は、画像処理部から送られてきた画像データを、像担持体３ａに静電潜像として形成する。これは、画像書込み部２に設けられた半導体レーザの出力光を、一様に帯電された像担持体３ａに照射することで行う。形成された静電潜像は、現像装置３ｂで現像されてトナー画像となり、転写装置３ｃによって給紙カセット４から搬送されてきた転写紙Ｓに転写され、定着装置６によってトナー画像が転写紙Ｓに定着する。そして、両面コピーモードの場合には搬送路切換板７ａによって再搬送手段８を通り表裏を反転されて、再び画像形成部３へ搬送される。画像形成が終了した場合は、排紙ローラ７によって画像形成装置１の外部へ排出される。
【００２３】
給紙カセット４および手差し給紙トレイ５は、転写紙Ｓを１枚だけ取り出し、画像形成部３へ搬送する給紙手段１１と共に給紙装置を構成している。給紙手段１１はピックアップローラ１１ａと重送防止ローラ１１ｂとを有する。給紙カセット４に格納されている転写紙Ｓのうち一番上にある１枚をピックアップローラ１１ａが取り出し、重送防止ローラ１１ｂによって捌いた後、画像形成部３へ搬送する。画像形成部３の直前には転写紙Ｓの紙曲がりを修正するとともに、転写タイミング調整を図るレジストローラ１２がある。
【００２４】
図２は、画像形成装置の手差し給紙トレイ周辺を拡大した斜視図である。手差し給紙トレイ５は樹脂等で形成されており、その大きさは、手差し給紙トレイ５が給紙可能な転写紙の最大サイズよりも大きくなっている。手差し給紙トレイ５の上面には、手差し給紙トレイ５に対して垂直に立ち上がった側板１３，１３があり、側板１３，１３の上端部には手差し給紙トレイ５に対して水平に紙押え部材１７が形成されている。側板１３は手差し給紙トレイ５に形成された溝１８によって、転写紙Ｓの搬送方向と直交する方向にスライド可能となっている。２つある側板１３のうち一方をスライドすると、手差し給紙トレイ５の中心線ａとの距離が同一になるように、他方の側板１３もスライドするように構成されている。
【００２５】
また、図２で示す実施例の画像形成装置１では、手差し給紙トレイ５は開閉扉１ａに設けられている。開閉扉１ａは、画像形成装置１の奥側に設けられたヒンジ１ｂによって回動可能となっており、操作者が開閉扉１ａの手前側に設けられた取っ手１ｃを掴む事によってヒンジ１ｂを支点として図の奥側に向かって開くようになっている。開閉扉１ａを開くことによって、紙詰まり処理およびメンテナンス等の作業を行うことが可能となる。
【００２６】
このような手差し給紙トレイ５に転写紙Ｓを載置するには、まず側板１３を外側に向かって側板１３同士の間隔を広げるようにスライドさせ、転写紙Ｓの束を側板１３，１３の間に載置する。そして側板１３を内側に側板１３同士の間隔を狭める方向にスライドさせて転写紙Ｓを両脇から挟みこみ、転写紙Ｓをそろえる。転写紙Ｓの束は手差し給紙トレイ５の上面と紙押え部材１７の間に載置される。
【００２７】
ピックアップローラ１１ａの下には、転写紙Ｓを該ピックアップローラ１１ａへ当接する転写紙持上げ板１４がある。転写紙持上げ板１４は、軸１４ａによって手差し給紙トレイ５に回動可能に取り付けられており、図示しない駆動装置によって、軸１４ａを中心にして上下動するものである。転写紙持上げ板１４が上方向に動くことで、手差し給紙トレイ５に載置されている転写紙Ｓのうち、一番上にある一枚がピックアップローラ１１ａに当接し、該ピックアップローラ１１ａによって画像形成部３へ給紙される。
【００２８】
手差し給紙トレイ５には、転写紙持上げ板１４の下を通り、該転写紙持上げ板１４よりも画像形成部３寄りのところで立ち上がった支持部材１５が形成されている。
【００２９】
また、ピックアップローラ１１ａの上部は、手差し給紙トレイ５を閉じたときに手差し給紙トレイ５、および手差し給紙トレイ５上に載置されている転写紙Ｓを収納する収納部１６となっている。
【００３０】
図３は、手差し給紙トレイが開いている状態を示した図である。側板１３は、手差し給紙トレイ５の、転写紙持ち上げ板１４側の端部５ａから他端５ｂまでの長さに、ほぼ等しいものとなっている。しかし、本発明はこのような実施の形態に限定されるものではない。側板１３の長さは、手差し給紙トレイ５が給紙可能な最大サイズの転写紙Ｓの、給紙方向の長さの２分の１以上であればよいが、最大サイズの給紙方向の長さに相当する長さであることが好ましい。手差し給紙トレイ５を収納する収納部１６は、画像形成装置１に設けられた凹部となっている。収納部１６の深さＤは、手差し給紙トレイ５の厚さと側板１３の高さを合わせた値であるＨ以上になっている。
【００３１】
図４は手差し給紙トレイを閉じた状態を示す図である。収納部１６の深さＤは手差し給紙トレイ５の厚さと側板１３の高さを合わせたＨ以上であるため、手差し給紙トレイ５は収納部１６に完全に収納される。従って、手差し給紙トレイ５は、転写紙Ｓを載置した状態のまま閉じることが可能である。転写紙持上げ板１４は手差し給紙トレイ５に取り付けられているので、手差し給紙トレイ５を閉じる時に一緒に動き、収納部１６へ収納される。この時、転写紙持上げ板１４の上面１４ｂと手差し給紙トレイ５の上面５ｃは同一平面上にあるため、転写紙Ｓは折り曲げられることなく収納される。また、支持部材１５は転写紙Ｓの下端を支えているので、転写紙Ｓが画像形成装置１内に落下するのを防いでいる。さらに、紙押え部材１７があることによって転写紙Ｓの上端部分が垂れ下がることによってつく癖が防止できる。また、紙押え部材１７は転写紙Ｓをまっすぐに保つため、転写紙Ｓにたるみ等の癖がつかない。
【００３２】
従って、手差し給紙トレイ５を閉じた際にも、転写紙Ｓには傷や癖がついたりすることなく、また、画像形成装置１内に落ちてしまうこともない。
【００３３】
なお、本発明では転写紙持上げ板１４は手差し給紙トレイ５に取り付けられているが、本発明はそのようなものに限定するものではない。また、本発明はカラー画像形成装置にも適用が可能である。
【図面の簡単な説明】
【００３４】
【図１】本発明の画像形成装置の構成図である。
【図２】画像形成装置の手差し給紙トレイ周辺を拡大した斜視図である。
【図３】手差し給紙トレイが開いている状態を示した図である。
【図４】手差し給紙トレイを閉じた状態を示す図である。
【符号の説明】
【００３５】
１      画像形成装置
３      画像形成部
５      手差し給紙トレイ
１４    転写紙持ち上げ板
１５    支持部材
１６    収納部
１７    紙押え部材
Ｓ      転写紙
【図１】
2005280913.tif 000003
【図２】
2005280913.tif 000004
【図３】
2005280913.tif 000005
【図４】
2005280913.tif 000006